(57)【要約】【課題】コーヒー飲料等の飲料の風味によって味覚や嗅覚からだけでなく、視覚からも利用者にリラックス効果又はリフレッシュ効果を与えること。【解決手段】透水性材料からなるコーヒーバッグ本体１２と、コーヒーバッグ本体１２に設けられかつ紙からなる基材１８により構成された懸架部材１６と、を具備し、懸架部材１６の基材１８の表面の少なくとも一部に絵柄層２２が形成され、懸架部材１６の基材１８の表面側に示温インキからなる示温インキ層２４が絵柄層２２を覆うように形成され、示温インキ層２４は、コーヒーバッグ本体１２をカップＣに懸架させた状態で、コーヒーバッグ本体１２内にお湯を注ぐと、有色状態から透明状態に変化するように構成されている。【選択図】  図１
2018166956.tif 000002
【特許請求の範囲】
【請求項１】
カップ内に飲料を抽出する際に用いられる飲料バッグにおいて、
透水性材料からなり、抽出原料を内包したバッグ本体と、
前記バッグ本体に設けられ、紙からなる基材により構成され、前記バッグ本体を前記カップに懸架するための懸架部材と、を具備し、
前記懸架部材の基材の表面の少なくとも一部に絵柄層が形成され、前記懸架部材の基材の表面側に示温インキからなる示温インキ層が前記絵柄層を覆うように形成され、前記示温インキ層は、前記バッグ本体を前記カップに懸架させた状態で、前記バッグ本体内又は前記カップ内にお湯を注ぐと、有色状態から透明状態に変化するように構成されていることを特徴とする飲料バッグ。
【請求項２】
前記懸架部材の基材の表面に透明樹脂材料からなる表面保護フィルムが前記示温インキ層を覆うように形成され、前記懸架部材の基材の裏面に透明樹脂材料からなる裏面保護フィルムが形成されていることを特徴とする請求項１に記載の飲料バッグ。
【請求項３】
飲料は、コーヒー飲料であって、抽出原料は、コーヒー粉であり、前記バッグ本体は、その上端側に、開放可能な注ぎ口を有していることを特徴とする請求項１又は請求項２に記載の飲料バッグ。
【請求項４】
飲料は、茶飲料であって、抽出原料は、茶葉であることを特徴とする請求項１又は請求項２に記載の飲料バッグ。
【請求項５】
カップ内に茶飲料を抽出する際に用いられ、茶葉を内包しかつ透水性材料からなるティーバッグ本体を、前記カップに懸架するためのティーバッグセット用の懸架具において、
紙又は合成樹脂からなる基材により構成され、前記ティーバッグ本体の一部を着脱可能に取付けるための取付部が形成され、
基材の表面の少なくとも一部に絵柄層が形成され、基材の表面側に示温インキからなる示温インキ層が前記絵柄層を覆うように形成され、前記示温インキ層は、前記ティーバッグ本体を前記カップに懸架させた状態で、前記カップ内にお湯を注ぐと、有色状態から透明状態に変化するように構成されていることを特徴とするティーバッグセット用の懸架具。
【請求項６】
前記示温インキ層は、有色状態から透明状態に可逆的に変化するように構成されていることを特徴とする請求項５に記載のティーバッグセット用の懸架具。
【請求項７】
前記カップの開口部の周縁又は前記カップの柄に係止可能な係止部が形成されていることを特徴とする請求項５又は請求項６に記載のティーバッグ用の懸架具。
【請求項８】
基材の表面に透明樹脂材料からなる表面保護フィルムが前記示温インキ層を覆うように形成され、基材の裏面に透明樹脂材料からなる裏面保護フィルムが形成されていることを特徴とする請求項５から請求項７のうちのいずれか１項に記載のティーバッグセット用の懸架具。
【請求項９】
カップ内に茶飲料を抽出する際に用いられるティーバッグセットにおいて、
透水性材料からなり、茶葉を内包したティーバッグ本体と、
請求項５から請求項８のうちのいずれか１項に記載のティーバッグセット用の懸架具と、を具備したことを特徴とするティーバッグセット。
【発明の詳細な説明】
【技術分野】
【０００１】
本発明は、カップ内にコーヒー飲料又は茶飲料を抽出する際に用いられる飲料バッグ等に関する。
【０００２】
従来から、飲料バッグの１つとしてのコーヒーバッグ及びティーバッグが広く市場に出回っており、家庭内及び職場内等において広く使用されている。そして、一般的なコーヒーバッグ及びティーバッグの構成は、次の通りである。
【０００３】
一般的なコーヒーバッグは、抽出原料としてのコーヒー粉を内包（封入）した袋状のコーヒーバッグ本体を具備しており、コーヒーバッグ本体は、透水性材料からなる。コーヒーバッグ本体は、その上側に、開放可能な注ぎ口を有している。また、コーヒーバッグ本体の外側面には、コーヒーバッグ本体をカップに懸架するための懸架部材が設けられており、懸架部材は、紙からなる基材により構成されている。懸架部材には、カップの開口部の周縁に係止可能な係止爪が形成されている。
【０００４】
一般的なティーバッグは、抽出原料として紅茶葉等の茶葉を内包（封入）した袋状のティーバッグ本体を具備しており、ティーバッグ本体は、透水性材料からなる。また、ティーバッグ本体の上部には、吊り紐（下げ紐）の一端部が連結されており、吊り紐の他端部には、摘み片が取付られている。
【０００５】
なお、本発明に関連する先行技術として特許文献１から特許文献３に示すものがある。
【先行技術文献】
【特許文献】
【０００６】
【特許文献１】特開２００４−２３０１４３号公報
【特許文献２】特開２００４−２０８９０６号公報
【特許文献３】特開２００８−１５００７１号公報
【発明の概要】
【発明が解決しようとする課題】
【０００７】
ところで、近年、カップ内にコーヒー飲料又は茶飲料を抽出する時間を含むブレークタイムにおいて、コーヒー飲料等の風味によって味覚や嗅覚からだけでなく、他の面からも利用者にリラックス効果又はリフレッシュ効果を与えることが望まれている。
【０００８】
そこで、本発明は、前述の要望に応えることができる、新規な構成からなる飲料バッグ等を提供することを目的とする。
【課題を解決するための手段】
【０００９】
本発明の第１の態様は、カップ内に飲料を抽出する際に用いられる飲料バッグにおいて、透水性材料からなり、抽出原料（飲料原料）を内包（封入）したバッグ本体と、前記バッグ本体に設けられ、紙からなる基材により構成され、前記バッグ本体を前記カップに懸架するための懸架部材と、を具備し、前記懸架部材の基材の表面の少なくとも一部に絵柄層が形成され、前記懸架部材の基材の表面側に示温インキからなる示温インキ層が前記絵柄層を覆うように形成され、前記示温インキ層は、前記バッグ本体を前記カップに懸架させた状態で、前記バッグ本体内又は前記カップ内にお湯を注ぐと、有色状態（有色不透明状態）から透明状態（無色透明状態）に変化するように構成されていることである。
【００１０】
ここで、飲料がコーヒー飲料のある場合には、抽出原料はコーヒー粉になり、飲料が茶飲料である場合には、抽出原料は茶葉になる。
【００１１】
本発明の第の第１の態様によると、前記カップ内に飲料を抽出する際に、前記懸架部材の前記示温インキ層が有色状態から透明状態に変化する。これにより、前記懸架部材の前記絵柄層が可視可能になり、前記懸架部材（前記飲料バッグ）に視覚的な変化を与えることができる。
【００１２】
本発明の第２の態様は、カップ内に茶飲料を抽出する際に用いられ、茶葉を内包しかつ透水性材料からなるティーバッグ本体を、前記カップに懸架するためのティーバッグセット用の懸架具において、紙又は合成樹脂からなる基材により構成され、前記ティーバッグ本体の一部を着脱可能に取付けるための取付部が形成され、基材の表面の少なくとも一部に絵柄層が形成され、基材の表面側に示温インキからなる示温インキ層が前記絵柄層を覆うように形成され、前記示温インキ層は、前記ティーバッグ本体を前記カップに懸架させた状態で、前記カップ内にお湯を注ぐと、有色状態（有色不透明状態）から透明状態（無色透明状態）に変化するように構成されていることである。
【００１３】
本発明の第２の態様によると、前記カップの開口部から前記カップ内にお湯を注ぐ。そして、前記懸架具の前記取付部に前記ティーバッグ本体の一部を装着した状態で、前記バッグ本体を前記カップに懸架させて、前記懸架具を前記カップにセットする。これにより、カップ内に茶飲料を抽出することができる。なお、前記懸架具を前記カップにセットした後に、前記カップ内にお湯を注いでもよい。
【００１４】
前記カップ内に茶飲料を抽出する際に、前記懸架具の前記示温インキ層が有色状態から透明状態に変化する。これにより、前記懸架具の前記絵柄層が可視可能になり、前記懸架具に視覚的な変化を与えることができる。
【００１５】
本発明の第３の態様は、カップ内に茶飲料を抽出する際に用いられるティーバッグセットにおいて、透水性材料からなり、茶葉を内包（封入）したティーバッグ本体と、本発明の第２の態様からなるティーバッグセット用の懸架具と、を具備したことである。
【００１６】
本発明の第３の態様によると、本発明の第２の態様による作用と同様の作用を奏する。
【発明の効果】
【００１７】
本発明の第１の態様によれば、前述のように、前記カップ内に飲料を抽出する際に、前記懸架部材の前記絵柄層が可視可能になり、前記懸架部材に視覚的な変化を与えることができる。そのため、本発明の第１の態様によれば、飲料の風味によって味覚や嗅覚からだけでなく、視覚からも利用者にリラックス効果又はリフレッシュ効果を与えることができ、利用者は有意義なブレークタイムをとることができる。
【００１８】
本発明の第２及び第３の態様によれば、前述のように、前記カップ内に茶飲料を抽出する際に、前記懸架具の前記絵柄層が可視可能になり、前記懸架具に視覚的な変化を与えることができる。そのため、本発明の第２及び第３の態様によれば、茶飲料の風味によって味覚や嗅覚からだけでなく、視覚からも利用者にリラックス効果又はリフレッシュ効果を与えることができ、利用者は有意義なブレークタイムをとることができる。
【図面の簡単な説明】
【００１９】
【図１】図１（ａ）（ｂ）は、本発明の第１実施形態に係るコーヒーバッグをカップにセットした状態を示す図であり、懸架部材の示温インキ層が有色状態から無色状態に変化する様子を示している。
【図２】図２は、本発明の第１実施形態に係るコーヒーバッグを示す図である。
【図３】図３は、本発明の第１実施形態に係るコーヒーバッグにおける懸架部材の模式的な断面図である。図３は、本発明の第２実施形態に係るティーバッグにおける懸架部材の模式的な断面図、及び本発明の第３実施形態に係る懸架具の模式的な断面を兼用している。
【図４】図４（ａ）（ｂ）は、本発明の第２実施形態に係るティーバッグをカップにセットした状態を示す図であり、懸架部材の示温インキ層が有色状態から無色状態に変化する様子を示している。
【図５】図５は、本発明の第２実施形態に係るティーバッグを示す図である。
【図６】図６（ａ）（ｂ）は、本発明の第３実施形態に係る懸架具をカップにセットした状態を示す図であり、懸架具の示温インキ層が有色状態から無色状態に変化する様子を示している。
【図７】図７は、本発明の第３実施形態に係るティーバッグセットを示す図である。
【発明を実施するための形態】
【００２０】
本発明の実施形態（第１実施形態から第３実施形態）について図面を参照して説明する。
【００２１】
なお、本願の明細書及び特許請求の範囲において、「設けられる」とは、直接的に設けられることの他に、間接的に設けられることを含む意である。また、「飲料」とは、コーヒー飲料及び茶飲料を含む意であり、「茶飲料」とは、紅茶、日本茶、ウーロン茶、ハーブティー等を含む意である。「抽出原料」とは、コーヒー粉、紅茶葉、日本茶葉、ウーロン茶葉、ハーブ茶葉を含む意である。
【００２２】
（第１実施形態）
図１（ａ）（ｂ）に示すように、本発明の第１実施形態に係るコーヒーバッグ１０は、カップＣ内にコーヒー飲料をドリップ式により抽出する際に用いられる飲料バッグの１つである。そして、本発明の第１実施形態に係るコーヒーバッグ１０の具体的な構成は、以下の通りである。
【００２３】
図１（ａ）（ｂ）から図３に示すように、コーヒーバッグ１０は、抽出原料としてのコーヒー粉Ｐを内包（封入）した袋状のコーヒーバッグ本体１２を具備しており、コーヒーバッグ本体１２は、不織布又は不織紙等の透水性材料からなっている。また、コーヒーバッグ本体１２は、その上端側に、開放可能な注ぎ口１４を有している。
【００２４】
コーヒーバッグ本体１２の両外側面（一方の外側面及び他方の外側面）には、コーヒーバッグ本体１２をカップに懸架するための懸架部材１６がそれぞれ設けられており、各懸架部材１６は、紙からなる基材１８により構成されている。また、各懸架部材１６の先端部（下端部）には、カップＣの開口部Ｃａの周縁に係止可能な係止部としての係止爪２０が形成されている。各懸架部材１６は、係止爪２０をカップＣの開口部Ｃａの周縁に係止させると、カップＣに対して立った状態になっている。なお、各懸架部材１６に係止爪２０を形成する代わりに、カップＣの柄Ｃｈに係止可能な係止部（図示省略）を形成してもよい。
【００２５】
各懸架部材１６の基材１８の表面の一部には、絵柄層２２が印刷によって形成されている。絵柄層２２のパターンは、例えば、風景、人物、動物、植物、キャラクタ、文字、数字、図形、又は記号等を含んでおり、適宜に変更することが可能である。絵柄層２２の印刷方式としては、スクリーン印刷、グラビア印刷、又はオフセット印刷等のうちいずれかを選択して用いる。
【００２６】
各懸架部材１６の基材１８の表面側には、示温インキからなる示温インキ層２４が絵柄層２２を覆うように印刷によって形成されている。各示温インキ層２４の印刷方式としては、スクリーン印刷、グラビア印刷、又はオフセット印刷等のうちいずれかを選択して用いる。示温インキは、常温（１５〜２５℃の温度）においては有色であり、お湯に対応した臨界温度（例えば３５℃）になると透明に可逆的に変化するようになっている。換言すれば、示温インキ層２４は、コーヒーバッグ本体１２をカップＣに懸架させた状態で、コーヒーバッグ本体１２内にお湯を注ぐと、有色状態（有色不透明状態）から透明状態（無色透明状態）に可逆的に変化するように構成されている。なお、臨界温度は、示温インキを構成する材料の選定によって適宜に変更することができる。示温インキ層２４が有色状態から透明状態に可逆的に変化する代わりに、有色状態から透明状態に不可逆的に変化するようにしてもよい。
【００２７】
各懸架部材１６の基材１８の表面における示温インキ層２４の外側には、第２絵柄層２６が印刷によって形成されている。第２絵柄層２６のパターンは、絵柄層（第１絵柄層）２２のパターンと同様に、例えば、風景、人物、動物、植物、又はキャラクタ等を含んでおり、適宜に変更することが可能である。第２絵柄層２６の印刷方式は、絵柄層２２の印刷方式と同じである。なお、各懸架部材１６の基材１８の表面に第２絵柄層２６を形成してなくもよい。
【００２８】
図３に示すように、各懸架部材１６の基材１８の表面全体には、表面保護フィルム２８が示温インキ層２４及び第２絵柄層２６を覆うように形成されている。表面保護フィルム２８は、例えばポリプロピレン又はポリエチレンテレフタレート等の透明樹脂材料からなる。また、各懸架部材１６の基材１８の裏面全体には、裏面保護フィルム３０が形成されている。裏面保護フィルム３０は、例えばポリプロピレン又はポリエチレンテレフタレート等の透明樹脂材料からなる。
【００２９】
続いて、本発明の第１実施形態の作用及び効果について説明する。
【００３０】
図１（ａ）に示すように、注ぎ口１４を開放した状態で、一対の懸架部材１６の係止爪２０をカップＣの開口部Ｃａの周縁に係止させることにより、コーヒーバッグ本体１２をカップＣに懸架させて、コーヒーバッグ１０をカップＣにセットする。そして、注ぎ口１４からコーヒーバッグ本体１２内へお湯を注ぐ。これにより、カップＣ内にコーヒー飲料をドリップ式により抽出することができる。
【００３１】
図１（ａ）（ｂ）に示すように、カップＣ内にコーヒー飲料を抽出する際に、各懸架部材１６の示温インキ層２４が有色状態から透明状態に可逆的に変化する。これにより、各懸架部材１６の絵柄層２２が可視可能になり、各懸架部材１６（コーヒーバッグ１０）に視覚的な変化を与えることができる。
【００３２】
また、前述のように、各懸架部材１６の基材１８の表面全体に表面保護フィルム２８が示温インキ層２４及び第２絵柄層２６を覆うように形成され、各懸架部材１６の基材１８の裏面全体に裏面保護フィルム３０が形成されている（図３参照）。これにより、示温インキ等のインキが懸架部材１６から外部に漏れることがない。
【００３３】
従って、本発明の第１実施形態によれば、前述のように、カップＣ内にコーヒー飲料を抽出する際に、各懸架部材１６の絵柄層２２が可視可能になり、各懸架部材１６に視覚的な変化を与えることができる。そのため、本発明の第１実施形態によれば、コーヒー飲料の風味によって味覚や嗅覚だけでなく、視覚からも利用者にリラックス効果又はリフレッシュ効果を与えることができ、利用者は有意義なブレークタイムをとることができる。
【００３４】
また、インキが懸架部材１６から外部に漏れることがないため、コーヒーバッグ１０の食品衛生上の安全性を十分に確保することができる。
【００３５】
（第２実施形態）
図４（ａ）（ｂ）に示すように、本発明の第２実施形態に係るティーバッグ３２は、カップＣ内に紅茶飲料等の茶飲料を抽出する際に用いられる飲料バッグの１つである。そして、本発明の第２実施形態に係るティーバッグ３２の具体的な構成は、以下の通りである。
【００３６】
図３から図５に示すように、ティーバッグ３２は、抽出原料としての紅茶葉、日本茶葉、ウーロン茶葉、ハーブ茶葉等の茶葉Ｔを内包（封入）した袋状のティーバッグ本体３４を具備している。ティーバッグ本体３４は、ナイロンメッシュ、不織布、又は不織紙等の透水性材料からなっている。
【００３７】
ティーバッグ本体３４の上端部には、ティーバッグ本体３４をカップＣに懸架するための懸架部材３６が設けられており、懸架部材３６は、紙からなる基材３８により構成されている。また、懸架部材３６におけるティーバッグ本体３４の両側には、カップＣの開口部Ｃａの周縁に係止可能な係止部としての係止爪４０がそれぞれ形成されている。懸架部材３６は、係止爪４０をカップＣの開口部Ｃａの周縁に係止させると、カップＣに対して立った状態になっている。
【００３８】
懸架部材３６の基材３８の表面の一部には、絵柄層４２が印刷によって形成されている。絵柄層４２のパターンは、例えば、風景、人物、動物、植物、キャラクタ、文字、数字、図形、又は記号等を含んでおり、適宜に変更することが可能である。絵柄層４２の印刷方式は、前述の懸架部材１６の絵柄層２２の印刷方式と同じである。
【００３９】
懸架部材３６の基材３８の表面側には、示温インキからなる示温インキ層４４が絵柄層４２を覆うように印刷によって形成されている。示温インキ層４４の印刷方式は、前述の懸架部材１６の示温インキ層２４の印刷方式と同じである。本発明の第２実施形態においても、示温インキは、常温（１５〜２５℃の温度）においては有色であり、お湯（お湯の湯気を含む）に対応した臨界温度（例えば３５℃）になると透明に可逆的に変化するようになっている。換言すれば、示温インキ層４４は、ティーバッグ本体３４をカップＣに懸架させた状態で、カップＣ内にお湯を注ぐと、有色状態から透明状態に可逆的に変化するように構成されている。なお、臨界温度は、示温インキを構成する材料の選定によって適宜に変更することができる。示温インキ層４４が有色状態から透明状態に可逆的に変化する代わりに、有色状態から透明状態に不可逆的に変化するようにしてもよい。
【００４０】
懸架部材３６の基材３８の表面における示温インキ層４４の外側には、第２絵柄層４６が印刷によって形成されている。第２絵柄層４６のパターンは、絵柄層（第１絵柄層）４２のパターンと同様に、例えば、風景、人物、動物、植物、又はキャラクタ等を含んでおり、適宜に変更することが可能である。第２絵柄層４６の印刷方式は、絵柄層４２の印刷方式と同じである。なお、懸架部材３６の基材３８の表面に第２絵柄層４６を形成してなくもよい。
【００４１】
図３に示すように、懸架部材３６の基材３８の表面全体には、例えばポリプロピレン等の透明樹脂材料からなる表面保護フィルム４８が示温インキ層４４及び第２絵柄層４６を覆うように形成されている。また、懸架部材３６の基材３８の裏面全体には、例えばポリプロピレン等の透明樹脂材料からなる裏面保護フィルム５０が形成されている。
【００４２】
続いて、本発明の第２実施形態の作用及び効果について説明する。
【００４３】
図４（ａ）に示すように、カップＣの開口部ＣａからカップＣ内にお湯を注ぐ。そして、懸架部材３６の一対の係止爪４０をカップＣの開口部Ｃａの周縁に係止させることにより、ティーバッグ本体３４をカップＣに懸架させて、ティーバッグ３２をカップＣにセットする。これにより、ティーバッグ本体３４を蒸らして、カップＣ内に茶飲料を抽出することができる。なお、ティーバッグ３２をカップＣにセットした後に、カップＣ内にお湯を注いでもよい。
【００４４】
図４（ａ）（ｂ）に示すように、カップＣ内に茶飲料を抽出する際に、懸架部材３６の示温インキ層４４が有色状態から透明状態に可逆的に変化する。これにより、懸架部材３６の絵柄層４２が可視可能になり、懸架部材３６（ティーバッグ３２）に視覚的な変化を与えることができる。
【００４５】
また、前述のように、懸架部材３６の基材３８の表面全体に表面保護フィルム４８が示温インキ層４４及び第２絵柄層４６を覆うように形成され、懸架部材３６の基材３８の裏面全体に裏面保護フィルム５０が形成されている（図３参照）。これにより、示温インキ等のインキが懸架部材３６から外部に漏れることがない。
【００４６】
従って、本発明の第２実施形態によれば、前述の本発明の第１実施形態の効果と同様の効果を奏するものである。
【００４７】
（第３実施形態）
図６（ａ）（ｂ）及び図７に示すように、本発明の第３実施形態に係るティーバッグセット５２は、カップＣ内に紅茶飲料等の茶飲料を抽出する際に用いられるものである。そして、本発明の第３実施形態に係るティーバッグセット５２の具体的な構成は、以下の通りである。
【００４８】
ティーバッグセット５２は、抽出原料（飲料原料）としての紅茶葉、日本茶葉、ウーロン茶葉、ハーブ茶葉等の茶葉Ｔを内包（封入）した袋状の複数（１つのみ図示）のティーバッグ本体５４を具備している。ティーバッグ本体５４は、ナイロンメッシュ、不織布、又は不織紙等の透水性材料からなっている。
【００４９】
図３、図６（ａ）（ｂ）、及び図７に示すように、ティーバッグセット５２は、ティーバッグ本体５４をカップＣに懸架するための懸架具（ティーバッグセット用の懸架具）５６を具備しており、懸架具５６は、紙又は合成樹脂（プラスチック）からなる基材５８により構成されている。また、懸架具５６の基端部には、ティーバッグ本体５４の上端部（一部）を着脱可能に取付けるための取付部としてのスリット６０が形成されている。更に、懸架具５６の基端部には、カップＣの柄Ｃｈに係止可能な係止部としての係止爪６２が形成されている。懸架具５６は、係止爪６２をカップＣの柄Ｃｈに係止させると、カップＣに対して立った状態になっている。なお、係止爪６２をカップＣの柄Ｃｈに係止させると、懸架具５６がカップＣの開口部Ｃａ全域を覆った状態になるようにしてもよい。懸架具５６に係止爪６２を形成する代わりに、カップＣの開口部Ｃａの周縁に係止可能な係止部（図示省略）を形成してもよい。
【００５０】
懸架具５６の基材５８の表面の一部には、絵柄層６４が印刷によって形成されている。絵柄層６４のパターンは、例えば、風景、人物、動物、植物、キャラクタ、文字、数字、図形、又は記号等を含んでおり、適宜に変更することが可能である。絵柄層６４の印刷方式は、前述の懸架部材１６の絵柄層２２の印刷方式と同じである。
【００５１】
懸架具５６の基材５８の表面側には、示温インキからなる示温インキ層６６が絵柄層６４を覆うように印刷によって形成されている。示温インキ層６６の印刷方式は、前述の懸架部材１６の示温インキ層２４の印刷方式と同じである。本発明の第３実施形態においても、示温インキは、常温（１５〜２５℃の温度）においては有色であり、設定した臨界温度（例えば３５℃）になると透明に可逆的に変化するようになっている。換言すれば、示温インキ層６６は、ティーバッグ本体５４をカップＣに懸架させた状態で、カップＣ内にお湯を注ぐと、有色状態から透明状態に可逆的に変化するように構成されている。なお、臨界温度は、示温インキを構成する材料の選定によって適宜に変更することができる。
【００５２】
懸架具５６の基材５８の表面における示温インキ層６６の外側には、第２絵柄層６８が印刷によって形成されている。第２絵柄層６８のパターンは、絵柄層（第１絵柄層）６４のパターンと同様に、例えば、風景、人物、動物、植物、又はキャラクタ等を含んでおり、適宜に変更することが可能である。第２絵柄層６８の印刷方式は、絵柄層６４の印刷方式と同じである。なお、懸架具５６の基材５８の表面に第２絵柄層６４を形成してなくもよい。
【００５３】
図３に示すように、懸架具５６の基材５８の表面全体には、例えばポリプロピレン等の透明樹脂材料からなる表面保護フィルム７０が示温インキ層６６及び第２絵柄層６８を覆うように形成されている。また、懸架具５６の基材５８の裏面全体には、例えばポリプロピレン等の透明樹脂材料からなる裏面保護フィルム７２が形成されている。
【００５４】
続いて、本発明の第３実施形態の作用及び効果について説明する。
【００５５】
図６（ａ）に示すように、カップＣの開口部ＣａからカップＣ内にお湯を注ぐ。そして、懸架具５６のスリット６０にティーバッグ本体５４の上端部を装着した状態で、懸架具５６の係止爪６２をカップＣの柄Ｃｈに係止させることにより、ティーバッグ本体５４をカップＣに懸架させて、懸架具５６をカップＣにセットする。これにより、ティーバッグ本体５４を蒸らして、カップＣ内に茶飲料を抽出することができる。なお、懸架具５６をカップＣにセットした後に、カップＣ内にお湯を注いでもよい。
【００５６】
図６（ｂ）に示すように、カップＣ内に茶飲料を抽出する際に、懸架具５６の示温インキ層６６が有色状態から透明状態に可逆的に変化する。これにより、懸架具５６の絵柄層６４が可視可能になり、懸架具５６（ティーバッグセット５２）に視覚的な変化を与えることができる。
【００５７】
また、前述のように、懸架具５６の基材５８の表面全体に表面保護フィルム７０が示温インキ層６６及び第２絵柄層６８を覆うように形成され、懸架具５６の基材５８の裏面全体に裏面保護フィルム７０が形成されている（図３参照）。これにより、示温インキ等のインキが懸架具５６から外部に漏れることがない。
【００５８】
従って、本発明の第３実施形態によれば、前述の本発明の第１実施形態の効果と同様の効果を奏するものである。
【００５９】
また、示温インキ層６６がカップＣ内のお湯の湯気によって有色状態から透明状態に可逆的に変化するように構成されているため、１つの懸架具５６を茶飲料の抽出に何回も使用することができ、懸架具５６の利用価値を高めることができる。
【００６０】
なお、本発明は、前述の実施形態の説明に限られるものではなく、例えば、示温インキ層２４（４４，６６）の表面側に第３絵柄層（図示省略）を印刷によって形成する等、その他、その他、種々の態様で実施可能である。また、本発明に包含される権利範囲は、これらの実施形態に限定されないものである。
【符号の説明】
【００６１】
１０  コーヒーバッグ（飲料バッグ）
１２  コーヒーバッグ本体（バッグ本体）
１４  注ぎ口
１６  懸架部材
１８  基材
２０  係止爪（係止部）
２２  絵柄層（第１絵柄層）
２４  示温インキ層
２６  第２絵柄層
２８  表面保護フィルム
３０  裏面保護フィルム
３２  ティーバッグ（飲料バッグ）
３４  ティーバッグ本体（バッグ本体）
３６  懸架部材
３８  基材
４０  係止爪（係止部）
４２  絵柄層（第１絵柄層）
４４  示温インキ層
４６  第２絵柄層
４８  表面保護フィルム
５０  裏面保護フィルム
５２  ティーバッグセット
５４  ティーバッグ本体
５６  懸架具（ティーバッグセット用の懸架具）
５８  基材
６０  スリット（取付部）
６２  係止爪（係止部）
６４  絵柄層（第１絵柄層）
６６  示温インキ層
６８  第２絵柄層
７０  表面保護フィルム
７２  裏面保護フィルム
Ｃ    カップ
Ｃａ  開口部
Ｃｈ  柄
Ｐ    コーヒー粉（抽出原料）
Ｔ    茶葉（抽出原料）
【図１】
2018166956.tif 000003
【図２】
2018166956.tif 000004
【図３】
2018166956.tif 000005
【図４】
2018166956.tif 000006
【図５】
2018166956.tif 000007
【図６】
2018166956.tif 000008
【図７】
2018166956.tif 000009